(57)【要約】      （修正有）【課題】ロック及びロック解除が簡単な超薄型コネクタを提供する。【解決手段】超薄型コネクタ１０は端子と、カバー１２と、ベース１４と、絶縁体１６と、複数のロック部材１８と、を備えている。端子はプリント回路基板及びフレキシブルケーブルに接続可能である。カバーはベースに結合してフレキシブルケーブルを収容可能な収容空間ＳＰを形成している。ベースにはフレキシブルケーブルに接続された後の端子の自由端の変形を収容可能な孔部を形成している。絶縁体には複数のギャップ及び複数の凹部が形成されている。これら前記ロック部材はこれら前記ギャップに設置されている。ロック部材の作動部はロック部材のフック部に連接され、作動部がカバーの圧力を受けた場合、フック部がフレキシブルケーブルをロック解除する。反対に、作動部がカバーの圧力を受けない場合、フック部が収容空間中でフレキシブルケーブルに係止する。【選択図】図１
0003233689.tif 000002
【実用新案登録請求の範囲】
【請求項１】
プリント回路基板及びフレキシブルケーブルに接続するためのロック及びロック解除が簡単な超薄型コネクタであって、
前記プリント回路基板及び前記フレキシブルケーブルに接続するための端子と、
第一本体、作動力部、複数の開口部、及び複数の第一係止部を有するカバーであって、前記作動力部は前記第一本体の一側に形成されていると共に前記フレキシブルケーブルが挿入されない一側は外力をかけるために用いられ、これら前記開口部は前記第一本体の表面に形成され、これら前記第一係止部は前記第一本体の両側にそれぞれ形成されているカバーと、
前記カバーに結合されているベースであって、前記ベースは第二本体、孔部、複数のストッパー、複数の固定部材、及び複数の第二係止部を有し、前記第二本体及び前記第一本体には前記フレキシブルケーブルを収容するように収容空間が形成され、前記孔部は前記端子の自由端の変形を収容するように前記第二本体に形成され、これら前記ストッパーは前記第二本体の両側にそれぞれ形成されていると共に自由端が前記収容空間に向けられ、これら前記固定部材は前記収容空間に形成され、前記カバー及び前記ベースを組み立てるためにこれら前記第二係止部がこれら前記第一係止部に対応するように設けられているベースと、
前記収容空間に設置されている絶縁体であって、前記絶縁体は第三本体を有し、前記第三本体には複数のギャップ及び複数の凹部が形成され、これら前記ギャップはこれら前記開口部にそれぞれ対応するように設けられ、これら前記凹部はこれら前記ストッパーに対応するように前記第三本体の両側に形成され、前記絶縁体が前記収容空間に止められると共に前記絶縁体が前記収容空間に設置されているこれら前記ストッパーを受ける絶縁体と、
前記絶縁体に設置されている複数のロック部材であって、各これら前記ロック部材は第四本体、作動部、フックアーム、及びフック部を有し、前記第四本体は各これら前記ギャップに設置され、前記作動部は前記作動力部に対応するように設けられ、前記フックアームは前記フック部に連接され、前記作動部が前記作動力部の圧力を受けると、前記フックアームが前記フック部を移動するように連動させて前記フレキシブルケーブルをロック解除し、前記作動部が前記作動力部の圧力を受けない場合、前記フック部が前記収容空間中で前記フレキシブルケーブルの係合溝に係止する複数のロック部材と、を備えていることを特徴とするロック及びロック解除が簡単な超薄型コネクタ。
【請求項２】
各これら前記第一係止部は延伸部材であり、各これら前記第二係止部は凸部であり、前記延伸部材及び前記凸部は相互に干渉することを特徴とする請求項１に記載のロック及びロック解除が簡単な超薄型コネクタ。
【請求項３】
各これら前記ロック部材の前記フック部及び前記作動部は異なる平行軸線上に位置していることを特徴とする請求項１に記載のロック及びロック解除が簡単な超薄型コネクタ。
【請求項４】
各これら前記ロック部材は前記プリント回路基板に設けられている第二溶接部をさらに備え、且つ前記第二溶接部及び前記作動部は異なる平行軸線上に位置していることを特徴とする請求項１に記載のロック及びロック解除が簡単な超薄型コネクタ。
【請求項５】
前記カバー及び前記ベースは一体成形され、前記カバー及び前記ベースが湾曲することで前記収容空間が形成されていることを特徴とする請求項１に記載のロック及びロック解除が簡単な超薄型コネクタ。
【考案の詳細な説明】
【技術分野】
【０００１】
本考案は、コネクタの分野に関し、更に詳しくは、ロック及びロック解除が簡単な超薄型コネクタ（An ultra-thin easy-lock and easy-unlock connector）に関する。
【背景技術】
【０００２】
従来の自動ロックコネクタは、自動ロック構造の設計のため、厚さを効果的に薄くすることができず、薄型ノートパソコンのような薄型化が必要な場面では有効的に使用できなかった。
【０００３】
そこで、本考案者は上記の欠点が改善可能と考え、鋭意検討を重ねた結果、合理的設計で上記の課題を効果的に改善する本考案の提案に至った。
本考案により、従来のコネクタに起因する問題或いは従来のコネクタが解決できなかった問題を解決する。
【考案の概要】
【考案が解決しようとする課題】
【０００４】
本考案は、このような従来の問題に鑑みてなされたものである。本考案の第一の目的は、プリント回路基板及びフレキシブルケーブルに接続可能であり、自動ロック及び手動ロック解除の目的を達成するロック及びロック解除が簡単な超薄型コネクタを提供する。
【０００５】
本考案の第二の目的は、上述したロック及びロック解除が簡単な超薄型コネクタに基づいて、カバー及びベースにより絶縁体を被覆し、フレキシブルケーブルを挿入するための収容空間を形成する。
【０００６】
本考案の第三の目的は、上述したロック及びロック解除が簡単な超薄型コネクタに基づいて、第一係止部及び第二係止部が相互に干渉することで結合の目的を達成する。
【０００７】
本考案の第四の目的は、上述したロック及びロック解除が簡単な超薄型コネクタに基づいて、ベースのストッパー及び固定部材により絶縁体を収容空間に堅固に設置する。
【０００８】
本考案の第五の目的は、上述したロック及びロック解除が簡単な超薄型コネクタに基づいて、ベースの孔部を端子に対応させ、端子をフレキシブルケーブルに接続した後、端子の自由端に発生した変形を収容する。
【０００９】
本考案の第六の目的は、上述したロック及びロック解除が簡単な超薄型コネクタに基づいて、ロック部材が第四本体と、作動部と、フックアームと、フック部と、を備え、フック部及び作動部を同じ或いは異なる平行軸線上に位置させる。
【００１０】
本考案の第七の目的は、上述したロック及びロック解除が簡単な超薄型コネクタに基づいて、ロック部材が下向きに係止する方式を採用し、フレキシブルケーブルの係合溝を収容空間にロックする。
【００１１】
本考案の第八の目的は、上述したロック及びロック解除が簡単な超薄型コネクタに基づいて、強化部を第一本体に形成すると共に作動力部に隣接させ、作動力部の押圧強度を強化する。
【課題を解決するための手段】
【００１２】
上記課題を解決するために、本考案のロック及びロック解除が簡単な超薄型コネクタは、プリント回路基板及びフレキシブルケーブルに接続可能である。ロック及びロック解除が簡単な超薄型コネクタは端子と、カバーと、ベースと、絶縁体と、複数のロック部材と、を備えている。端子はプリント回路基板及びフレキシブルケーブルに接続可能である。カバーは第一本体と、作動力部と、複数の開口部と、複数の第一係止部と、を含む。作動力部は第一本体の一側に形成されていると共にフレキシブルケーブルが挿入されない一側は外力をかけるために用いられ、これら前記開口部は第一本体の表面に形成され、これら前記第一係止部は第一本体の両側にそれぞれ形成されている。ベースはカバーに結合している。ベースは第二本体と、孔部と、複数のストッパーと、複数の固定部材と、複数の第二係止部と、を含む。第二本体及び第一本体にはフレキシブルケーブルを収容するように収容空間が形成されている。孔部は端子の自由端の変形を収容するように第二本体に形成されている。これら前記ストッパーは第二本体の両側にそれぞれ形成されていると共に自由端が収容空間に向けられている。これら前記固定部材は前記収容空間に形成され、カバー及びベースを組み立てるためにこれら前記第二係止部が前記第一係止部に対応するように設けられている。絶縁体は収容空間に設置され、且つ第三本体を具備している。第三本体には複数のギャップ及び複数の凹部が形成されている。これら前記ギャップはこれら前記開口部にそれぞれ対応するように設けられている。これら前記凹部はこれら前記ストッパーに対応するように前記第三本体の両側に形成され、前記絶縁体が収容空間に止められると共に絶縁体が収容空間に設置されているこれら前記ストッパーを受ける。これら前記ロック部材は絶縁体に設置されている。各これら前記ロック部材は第四本体と、作動部と、フックアームと、フック部と、を備えている。第四本体は各これら前記ギャップに設置されている。作動部は作動力部に対応するように設けられている。フックアームはフック部に接続され、作動部が作動力部の圧力を受けると、フックアームがフック部を移動するように連動させてフレキシブルケーブルをロック解除し、作動部が作動力部の圧力を受けない場合、フック部が収容空間中でフレキシブルケーブルの係合溝に係止する。
【考案の効果】
【００１３】
本考案によれば、次のような効果がある。
従来のコネクタと比較すると、本考案に係るロック及びロック解除が簡単な超薄型コネクタは、構造設計により、開口部、孔部、ギャップ等の構造によりコネクタの薄型化を実現し、且つコネクタが自動ロック及び手動ロック解除機能を有している。
【００１４】
本明細書及び図面の記載により、少なくとも、以下の事項が明らかとなる。
【図面の簡単な説明】
【００１５】
【図１】本考案の第１実施例に係るロック及びロック解除が簡単な超薄型コネクタを模式的に示した傾斜図である。
【図２ａ】図１に示すカバーを示す上面図である。
【図２ｂ】図１に示すカバーを示す側面図である。
【図３ａ】図１に示すベースを示す上面図である。
【図３ｂ】図１に示すベースを示す側面図である。
【図４】図１に示す端子、ベースとロック部材を示す概略組み合わせ図である。
【図５ａ】図１に示す絶縁体を示す上面図である。
【図５ｂ】図１に示す絶縁体を示す側面図である。
【図６】図１に示すロック部材を示す概略構成図である。
【図７】図１に示すロック部材がフレキシブルケーブルに用いられる操作を示す概略図である。
【図８】図１に示すロック及びロック解除が簡単な超薄型コネクタの実施形態を示す概略図である。
【図９】本考案の第２実施例に係るロック及びロック解除が簡単な超薄型コネクタを模式的に示した傾斜図である。
【考案を実施するための形態】
【００１６】
以下、図面を参照しつつ、本考案に係るロック及びロック解除が簡単な超薄型コネクタについて具体的に説明する。
【００１７】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１８】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語は包括的な「或いは」という意義を指し、排他的な「或いは」ではない。
【実施例１】
【００１９】
まず、本考案の第１実施例の構成を図１から図８に示す。図１は本考案の第１実施例に係るロック及びロック解除が簡単な超薄型コネクタを模式的に示した傾斜図である。図１において、ロック及びロック解除が簡単な超薄型コネクタ１０は図８のプリント回路基板４及びフレキシブルケーブル２に接続可能である。図８は図１に示すロック及びロック解除が簡単な超薄型コネクタの実施形態を示す概略図である。
【００２０】
図１を参照すれば、ロック及びロック解除が簡単な超薄型コネクタ１０はカバー１２と、ベース１４と、絶縁体１６と、複数のロック部材１８と、端子２０と、を備えている。端子２０について図４を参照しつつ、本考案の図１の端子、ベース、及びロック部材の概略組み合わせ図について説明する。図４では、端子２０はカバー１２及びベース１４中に設置されている。
【００２１】
図２ａと図２ｂを併せて参照し、図２ａは図１に示すカバーを示す上面図である。図２ｂは図１に示すカバーを示す側面図である。図２（ａ）及び図２（ｂ）において、カバー１２は第一本体１２２と、作動力部１２６と、複数の開口部１２４と、複数の第一係止部１２１２と、を備えている。
【００２２】
作動力部１２６は第一本体１２２の一側に形成されていると共にフレキシブルケーブル２が挿入されない一側は外力をかけるために用いられている。
【００２３】
これら前記開口部１２４は第一本体１２２の表面に形成されている。本実施例において、これら前記開口部１２４が２つであるものを例に説明し、第一本体１２２の両側にそれぞれ形成されている。
【００２４】
これら前記第一係止部１２１２は第一本体１２２の両側にそれぞれ形成されている。本実施例において、第一係止部１２１２が２つであるものを例に説明する。なお、本実施例において、第一係止部１２１２は延伸部材であるものを例に説明し、後述する凸部である例とする第二係止部１４１０に対応して干渉し、係止効果を達成させている。
【００２５】
他の実施例において、カバー１２は、第一本体１２２に形成されていると共に作動力部１２６に隣接する強化部１２８をさらに備えている。本実施例において、強化部１２８は収容空間ＳＰに向けて突出している。
【００２６】
他の実施例において、カバー１２は第一本体１２２の側面にそれぞれ形成されている複数の第一溶接部１２１０をさらに備えている。第一溶接部１２１０はプリント回路基板４に設置可能であり、例えば、溶接方式により第一溶接部１２１０がプリント回路基板４に溶接されている。
【００２７】
図３ａは図１に示すベースを示す上面図である。図３ｂは図１に示すベースを示す側面図である。図３（ａ）及び３（ｂ）では、ベース１４はカバー１２に結合するために用いられ、ベース１４は第二本体１４２と、孔部１４４と、複数のストッパー１４６と、複数の固定部材１４８と、複数の第二係止部１４１０と、をさらに備えている。
【００２８】
第二本体１４２及び第一本体１２２にはフレキシブルケーブル２を収容するように図１の収容空間ＳＰが形成されている。孔部１４４の数量は端子２０の数量と同じであるかそれよりも多い。孔部１４４は端子２０の自由端の変形を収容するように第二本体１４２に形成され、換言すれば、フレキシブルケーブル２が収容空間ＳＰに挿入されると、端子２０がフレキシブルケーブル２の圧迫を受け、端子２０の自由端が圧下され、且つ端子２０の自由端が孔部１４４を貫通する。これにより金属材質のベース１４の短絡を回避するほか、端子２０が孔部１４４に沿って変形する（図４参照）。前述の孔部１４４の形状は本実施例では矩形を例として説明するが、他の実施例において、孔部１４４の形状は制限されない。
【００２９】
図３ａを併せて参照し、これら前記ストッパー１４６は第二本体１４２の両側にそれぞれ形成されていると共に自由端が収容空間ＳＰに向けられている。
【００３０】
これら前記固定部材１４８は収容空間ＳＰに形成されている。
【００３１】
カバー１２及びベース１４を組み立てるためにこれら前記第二係止部１４１０が第一係止部１２１２に対応するように設けられている。
【００３２】
図５ａは図１に示す絶縁体を示す上面図である。図５ｂは図１に示す絶縁体を示す側面図である。図５（ａ）及び５（ｂ）において、絶縁体１６は収容空間ＳＰに設置されている。絶縁体１６は第三本体１６２を備え、複数のギャップ１６４及び複数の凹部１６６が形成されている。
【００３３】
これら前記ギャップ１６４はこれら前記開口部１２４にそれぞれ対応するように設けられている。これら前記凹部１６６はこれら前記ストッパー１４６に対応するように前記第三本体１６２の両側に形成され、絶縁体１６が収容空間ＳＰに止められると共に絶縁体１６が収容空間ＳＰに設置されているこれら前記ストッパー１４６を受ける。
【００３４】
図６は図１に示すロック部材を示す概略構成図である。図６では、これら前記ロック部材１８は絶縁体１６に設置され、本実施例では、これら前記ロック部材１８の数量が２つであるものを例として説明する。各これら前記ロック部材１８は第四本体１８２と、作動部１８４と、フックアーム１８６と、フック部１８８と、を備えている。本実施例において、フック部１８８及び作動部１８４は異なる平行軸線上に位置している。また、ロック部材１８はプリント回路基板４に設置されている第二溶接部１８１０をさらに含み、第二溶接部１８１０及び作動部１８４は異なる平行軸線上に位置している。
【００３５】
本実施例において、ロック部材１８はギャップ１６４に嵌入する。
【００３６】
第四本体１８２は各これら前記ギャップ１６４に設置されている。作動部１８４は作動力部１２６に対応するように設けられている。図７は図１に示すロック部材がフレキシブルケーブルに用いられる操作を示す概略図である。図７において、フックアーム１８６はフック部１８８に接続され、作動部１８４が作動力部１２６の圧力を受けると、フックアーム１８６がフック部１８８を移動するように連動させてフレキシブルケーブル２をロック解除し、作動部１８４が作動力部１２６の圧力を受けない場合、フック部１８８が収容空間ＳＰ中でフレキシブルケーブル２の係合溝２２に係止する。
【００３７】
また、端子２０はプリント回路基板４及びフレキシブルケーブル２に接続可能である。
【実施例２】
【００３８】
図９は本考案の第２実施例に係るロック及びロック解除が簡単な超薄型コネクタを模式的に示した傾斜図である。
【００３９】
図９において、ロック及びロック解除が簡単な超薄型コネクタ１０は第１実施例の絶縁体１６と、ロック部材１８と、端子２０と、を備えている。第２実施例の第１実施例との違いは、第１実施例のカバー１２及びベース１４はハウジング２４として一体成形され、且つカバー１２及びベース１４が湾曲することで収容空間ＳＰが形成されている点である。
【００４０】
図９によると、ハウジング２４に作動力部２４２、開口部２４４、係止部２４６、及び凸部２４８が形成され、その機能は第１実施例の作動力部、開口部、係止部、及び凸部にそれぞれ対応する。ここでは、その説明を省略する。
【００４１】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００４２】
２  フレキシブルケーブル
２２  係合溝
４  プリント回路基板
１０  ロック及びロック解除が簡単な超薄型コネクタ
１２  カバー
１２２  第一本体
１２４  開口部
１２６  作動力部
１２８  強化部
１２１０  第一溶接部
１２１２  第一係止部
１４  ベース
１４２  第二本体
１４４  孔部
１４６  ストッパー
１４８  固定部材
１４１０  第二係止部
１６  絶縁体
１６２  第三本体
１６４  ギャップ
１６６  凹部
１８  ロック部材
１８２  第四本体
１８４  作動部
１８６  フックアーム
１８８  フック部
１８１０  第二溶接部
２０  端子
２４  ハウジング
２４２  作動力部
２４４  開口部
２４６  係止部
２４８  凸部
ＳＰ  収容空間
【図１】
0003233689.tif 000003
【図２ａ】
0003233689.tif 000004
【図２ｂ】
0003233689.tif 000005
【図３ａ】
0003233689.tif 000006
【図３ｂ】
0003233689.tif 000007
【図４】
0003233689.tif 000008
【図５ａ】
0003233689.tif 000009
【図５ｂ】
0003233689.tif 000010
【図６】
0003233689.tif 000011
【図７】
0003233689.tif 000012
【図８】
0003233689.tif 000013
【図９】
0003233689.tif 000014